(57)【要約】【課題】  装置起動時に、抜差されたメディアデバイスが未接続であることを警告する「コンテンツ再生装置」を提供する。【解決手段】  オーディオ再生装置は、接続されたメディアデバイスの識別情報等を抽出する抽出部５０と、装置が終了される際に、抽出部５０により抽出された識別情報や再生情報等を記憶するメモリ５２と、装置が起動されるとき、メモリ５２に記憶された識別情報と、抽出部５０により抽出された識別情報とを比較し、メモリ５２に記憶された識別情報に対応するメディアデバイス３０が未接続であるか否かを判定する判定部５４と、判定部５４により出力された判定結果に基づき、未接続であると判定されたメディアデバイス３０について音声または視覚により警告する提示部５６とを含んでいる。【選択図】      図２
2009042583.tif 000002
【特許請求の範囲】
【請求項１】
少なくとも１つのメディアデバイスを接続可能であり、メディアデバイスに記録されたコンテンツを再生可能なコンテンツ再生装置であって、
接続されたメディアデバイスを識別する識別手段と、
コンテンツ再生装置が終了される際に、前記識別手段により識別されたメディアデバイスの第１の識別情報を記憶する記憶手段と、
コンテンツ再生装置の起動時に、前記識別手段により識別されたメディアデバイスの第２の識別情報と前記第１の識別情報とを比較する比較手段と、
前記比較手段の比較結果に基づきコンテンツ再生装置の終了時のメディアデバイスが未接続であるか否かを判定する判定手段と、
前記判定手段により未接続と判定されたとき、メディアデバイスが未接続であることを提示する提示手段と、
を有するコンテンツ再生装置。
【請求項２】
前記記憶手段はさらに、コンテンツ再生装置が終了される際に再生されていたコンテンツの再生情報を記憶し、前記提示手段は、前記再生情報をディスプレイに提示する、請求項１に記載のコンテンツ再生装置。
【請求項３】
前記再生情報は、メディアデバイス名、再生されていたコンテンツ名、または再生時間いずれか１つを含む、請求項１または２に記載のコンテンツ再生装置。
【請求項４】
第１の識別情報は、複数のメディアデバイスが接続されているとき、コンテンツ再生装置が終了される際に使用されていた最後のメディアデバイスを識別する第３の識別情報を含み、前記判定手段は、少なくとも第３の識別情報が第２の識別情報と一致するとき、コンテンツ再生装置の終了時の他のメディアデバイスを未接続と判定しない、請求項１に記載のコンテンツ再生装置。
【請求項５】
前記メディアデバイスは、コンテンツを記憶する記憶媒体と、記憶媒体に記憶されたコンテンツを再生するコンテンツ再生機能とを含む、
請求項１ないし４いずれか１つに記載のコンテンツ再生装置。
【請求項６】
少なくとも１つのメディアデバイスを接続可能であり、メディアデバイスに記録されたコンテンツを再生可能なコンテンツ再生装置における抜去メディアデバイスの通知方法であって、
コンテンツ再生装置が終了される際に、コンテンツ再生装置に接続されていたメディアデバイスを識別する第１の識別情報を記憶するステップと、
コンテンツ再生装置が起動されるとき、コンテンツ再生装置に接続されているメディアデバイスの第２の識別情報と前記第１の識別情報とを比較するステップと、
比較結果に基づきコンテンツ再生装置の終了時のメディアデバイスが未接続であるか否かを判定するステップと、
未接続と判定されたとき、メディアデバイスが未接続であることを通知するステップと、
を有する抜去メディアデバイスの通知方法。
【請求項７】
少なくとも１つのメディアデバイスを接続可能であり、メディアデバイスに記録されたコンテンツを再生可能なコンテンツ再生装置における抜去メディアデバイスの通知プログラムであって、
コンテンツ再生装置が終了される際に、コンテンツ再生装置に接続されていたメディアデバイスを識別する第１の識別情報を記憶するステップと、
コンテンツ再生装置が起動されるとき、コンテンツ再生装置に接続されているメディアデバイスの第２の識別情報と前記第１の識別情報とを比較するステップと、
比較結果に基づきコンテンツ再生装置の終了時のメディアデバイスが未接続であるか否かを判定するステップと、
未接続と判定されたとき、メディアデバイスが未接続であることを通知するステップと、
を有する抜去メディアデバイスの通知プログラム。
【発明の詳細な説明】
【技術分野】
【０００１】
本発明は、複数のメディアデバイスを接続し、メディアデバイスに記録されたコンテンツを再生可能なコンテンツ再生装置に関し、特に、メディアデバイスの抜去通知に関する。
【背景技術】
【０００２】
現在、ＵＳＢメモリや携帯音響端末に記憶されたオーディオデータ等のコンテンツデータを再生することができる車載用オーディオ装置が普及している。車載用オーディオ装置は、ＵＳＢコネクタや、カードスロットにより種々のタイプのメディアデバイスを接続することができ、メディアデバイスに記憶されたオーディオデータを検索したり、所望のオーディオデータを再生することができる。
【０００３】
特許文献１で開示された接続装置は、接続されたデバイスの不慮な抜き差しやロックが外れたことをユーザに事前に警告し、故障原因になるケーブルを介した送受信を事前保護することを可能にしている。
【０００４】
【特許文献１】特開２００２−３５２９０４号
【発明の開示】
【発明が解決しようとする課題】
【０００５】
メディアデバイスは、ＵＳＢコネクタやカードスロットを用いて接続されているため、オーディオ装置の電源状態に関わらずユーザが容易に抜き去ることが可能である。車載用のオーディオ装置の場合、装置が終了され、車両から離れる際に、ユーザはセキュリティや別の場所での使用のためメディアデバイスを抜き去り、持ち運ぶことが多い。このため、車両に戻り、オーディオ装置を起動するとき、ユーザは抜き去ったメディアデバイスの再接続を忘れしまうことがあった。このとき、ユーザは、メディアデバイスに記録された楽曲を聴こうとするまで、メディアデバイスが未接続であることを認識することができなかった。
【０００６】
本発明は、上記従来の課題を解決するために成されたものであり、装置の起動時にメディアデバイスの抜去状態を通知することができるコンテンツ再生装置を提供することを目的とする。
【課題を解決するための手段】
【０００７】
本発明に係るコンテンツ再生装置は、接続されたメディアデバイスを識別する識別手段と、コンテンツ再生装置が終了される際に、前記識別手段により識別されたメディアデバイスの第１の識別情報を記憶する記憶手段と、コンテンツ再生装置の起動時に、前記識別手段により識別されたメディアデバイスの第２の識別情報と前記第１の識別情報とを比較する比較手段と、前記比較手段の比較結果に基づきコンテンツ再生装置の終了時のメディアデバイスが未接続であるか否かを判定する判定手段と、前記判定手段により未接続と判定されたとき、メディアデバイスが未接続であることを提示する提示手段とを有する。
【０００８】
好ましくは、前記記憶手段はさらに、コンテンツ再生装置が終了される際に再生されていたコンテンツの再生情報を記憶し、前記提示手段は、前記再生情報をディスプレイに提示する。前記再生情報は、メディアデバイス名、再生されていたコンテンツ名、または再生時間いずれか１つを含む。
【０００９】
好ましくは、第１の識別情報は、複数のメディアデバイスが接続されているとき、コンテンツ再生装置が終了される際に使用されていた最後のメディアデバイスを識別する第３の識別情報を含み、前記判定手段は、少なくとも第３の識別情報が第２の識別情報と一致するとき、コンテンツ再生装置の終了時の他のメディアデバイスを未接続と判定しない。前記メディアデバイスは、コンテンツを記憶する記憶媒体と、記憶媒体に記憶されたコンテンツを再生するコンテンツ再生機能とを含む。
【００１０】
本発明に係る抜去メディアデバイスの通知方法は、コンテンツ再生装置が終了される際に、コンテンツ再生装置に接続されていたメディアデバイスを識別する第１の識別情報を記憶するステップと、コンテンツ再生装置が起動されるとき、コンテンツ再生装置に接続されているメディアデバイスの第２の識別情報と前記第１の識別情報とを比較するステップと、比較結果に基づきコンテンツ再生装置の終了時のメディアデバイスが未接続であるか否かを判定するステップと、未接続と判定されたとき、メディアデバイスが未接続であることを通知するステップとを有する。
【００１１】
本発明に係る抜去メディアデバイスの通知プログラムは、コンテンツ再生装置が終了される際に、コンテンツ再生装置に接続されていたメディアデバイスを識別する第１の識別情報を記憶するステップと、コンテンツ再生装置が起動されるとき、コンテンツ再生装置に接続されているメディアデバイスの第２の識別情報と前記第１の識別情報とを比較するステップと、比較結果に基づきコンテンツ再生装置の終了時のメディアデバイスが未接続であるか否かを判定するステップと、未接続と判定されたとき、メディアデバイスが未接続であることを通知するステップとを有する。
【発明の効果】
【００１２】
本発明によれば、装置の起動時に、装置終了時の第１の識別情報と、装置起動時の第２の識別情報とを比較し、装置終了時のメディアデバイスが未接続であるか否かを判定し、これを提示するようにしたので、ユーザは、装置起動時にメディアデバイスが未接続であるか否かを即座に認識することができる。
【発明を実施するための最良の形態】
【００１３】
本発明の最良の実施の形態について図面を参照して詳細に説明する。
【実施例】
【００１４】
図１は、本発明の実施例に係るオーディオ再生装置の構成を示すブロック図である。オーディオ再生装置１０は、複数のメディアデバイス３０を接続可能な複数のコネクタ１２と、複数のコネクタ１２と接続されたインターフェース（Ｉ／Ｆ）１４と、インターフェース１４を介してメディアデバイス３０からオーディオデータを取得し、デジタルオーディオ信号をアナログオーディオ信号に変換するディジタル／アナログコンバータ（ＤＡＣ）１６と、アナログオーディオ信号を増幅するアンプ１８と、増幅されたオーディオ信号を可聴音に変換するスピーカ２０と、ユーザからの入力を受け取るロータリーエンコーダ等を含む入力部２２と、メディアデバイス３０に記録されたオーディオデータの楽曲名等を表示するディスプレイ２４と、種々のデータを格納するメモリ２６と、および各部を制御するマイクロコントローラ２８とを含んでいる。
【００１５】
メディアデバイス３０ａ〜３０ｃは、例えばＵＳＢケーブルによってコネクタ１２に接続される。接続方法は、ＵＳＢケーブル等の有線による接続に限られず、無線による接続であってもよい。また、メディアデバイス３０ａ〜３０ｃは、オーディオデータを記憶するＣＤ、ＤＶＤまたはＵＳＢメモリ等の記憶媒体に限られず、オーディオデータを記憶するハードディスク等の記憶媒体を含み、それ自身が単体でオーディオデータを再生する機能を有するものであってもよい。
【００１６】
入力部２２は、ユーザの操作に基づき、オーディオ再生装置１０を起動または終了するための操作信号をマイクロコントローラ２８に出力する。これにより、マイクロコントローラ２８は、操作信号を受け取り、オーディオ再生装置１０を起動したり、終了したりすることができる。
【００１７】
図２は、マイクロコントローラ２８の機能的な構成を示すブロック図である。マイクロコントローラ２８は、接続されたメディアデバイス３０の識別情報やオーディオデータの再生情報等を抽出する抽出部５０と、オーディオ再生装置１０が終了される際に、抽出部５０により抽出された識別情報や再生情報等を記憶するメモリ５２と、オーディオ再生装置１０が起動されたとき、メモリ５２に記憶された識別情報と、抽出部５０により抽出された識別情報とを比較し、メモリ５２に記憶された識別情報に対応するメディアデバイス３０が未接続であるか否かを判定する判定部５４と、判定部５４により出力された判定結果に基づき、未接続であると判定されたメディアデバイス３０について音声または視覚により警告する提示部５６とを含んでいる。
【００１８】
抽出部５０は、インターフェース１４に接続されているメディアデバイス３０を識別し、当該メディアデバイス３０の識別情報と、当該メディアデバイス３０に記録され、現在再生されているオーディオデータに関する再生情報を抽出することができる。再生情報は、例えば、再生中の楽曲の楽曲名、アルバム名、アーティスト名、トラックナンバー、再生時間、および記憶されているメディアデバイス等に関する情報である。抽出部５０は、オーディオ再生装置１０が終了される際に、入力部２２から出力される操作信号（終了操作）に基づき、抽出された識別情報および再生情報をメモリ５２に出力する。出力された識別情報と再生情報は、メモリ５２に記憶される。
【００１９】
判定部５４は、オーディオ再生装置１０が起動されたとき、入力部２２から出力される操作信号（起動操作）に基づき、メモリ５２に記憶された識別情報と、抽出部５０により抽出された識別情報とを比較する。これにより、オーディオ再生装置１０の終了時と、オーディオ再生装置１０が起動時とのメディアデバイス３０の接続状態を比較することができる。メモリ５２に記憶された識別情報が、抽出された識別情報と不一致であったとき、不一致の識別情報に対応するメディアデバイス３０が未接続であると判定する。これにより、判定部５４は、オーディオ再生装置１０が終了され、起動されるまでの間に、抜き去られたメディアデバイス３０を特定することができる。
【００２０】
図３は、判定部５４による判定方法を説明する図である。メモリ５２に記憶された識別情報は、オーディオ再生装置１０が終了された際に接続されていたメディアデバイス３０を示し、抽出された識別情報は、オーディオ再生装置１０が起動されたときに接続されているメディアデバイス３０を示している。判定部５４は、起動時に、これらの識別情報を比較し、メモリ５２に記憶された識別情報が、抽出部５０により抽出された識別情報と一致するか否か判定する。ここで、一致とは、完全一致のみならず、部分一致も含まれる。
【００２１】
例えば、図３（ａ）は、「デバイスＡ」、「デバイスＢ」、「デバイスＣ」が識別情報としてメモリ５２に記憶されている。これに対し、起動時に抽出された識別情報は、「デバイスＡ」、「デバイスＣ」である。このとき、判定部５４は、メモリ５２に記憶された「デバイスＢ」が一致しないため、「デバイスＢ」に対応するメディアデバイス３０が未接続であると判定する。
【００２２】
図３（ｂ）は、「デバイスＡ」、「デバイスＢ」、「デバイスＣ」が識別情報としてメモリ５２に記憶されている。これに対し、起動時に抽出された識別情報は、「デバイスＡ」、「デバイスＢ」「デバイスＣ」である。このとき、判定部５４は、識別情報が完全一致するため、メディアデバイス３０が未接続であると判定しない。
【００２３】
図３（ｃ）は、「デバイスＡ」、「デバイスＢ」が識別情報としてメモリ５２に記憶されている。これに対し、起動時に抽出された識別情報は、「デバイスＡ」、「デバイスＢ」、「デバイスＣ」である。このとき、判定部５４は、「デバイスＣ」が一致しないため完全一致ではないが、メモリ５２に記憶された「デバイスＡ」、「デバイスＢ」が、抽出された識別情報と部分一致するため、メディアデバイス３０が未接続であると判定しない。
【００２４】
提示部５６は、判定部５４から出力された判定結果に基づき、メディアデバイス３０が未接続であることをディスプレイ２４に表示し、ユーザに警告する。警告方法は、ディスプレイ表示による警告に限られず、スピーカ２０を用いた警告音や警告メッセージであってもよい。これにより、提示部５６は、ユーザに対して未接続であるメディアデバイス３０の再接続を促すことができる。
【００２５】
一方、提示部５６は、メモリ５２に記憶された再生情報に基づき、オーディオ再生装置１０の終了時に再生中であったオーディオデータの再生情報をディスプレイに表示することができる。ここで、提示部５６は、当該再生情報を警告に付加し、表示してもよい。
【００２６】
図４は、本実施例のオーディオ再生装置における警告提示動作について説明する概念図である。オーディオ再生装置１０は、終了された際に接続されていたメディアデバイス３０ｂが、起動時に未接続であった場合、ディスプレイ２４に警告メッセージを表示する。これにより、ユーザは、オーディオ再生装置１０の起動時に、抜き去られたメディアデバイス３０ｂが未接続であることを認識することができる。
【００２７】
次に、本実施例のオーディオ再生装置における警告提示動作について図５のフローチャートを参照して説明する。オーディオ再生装置１０の起動されているとき、抽出部５０は、コネクタ１２を介してインターフェース１４に接続されたメディアデバイス３０の識別情報と、現在再生中のオーディオデータに関する再生情報を抽出する（ステップＳ１０１）。
【００２８】
次に、オーディオ再生装置１０が終了される（ステップＳ１０２）。このとき、入力部２２は、ユーザの指示に基づき、操作信号（終了操作）をマイクロコントローラ２８に伝える。操作信号を受け取ると、抽出部５０は、抽出された識別情報と再生情報をメモリ５２に出力する。出力された識別情報と再生情報は、メモリ５２に記憶される（ステップＳ１０３）。
【００２９】
その後、オーディオ再生装置１０が起動される（ステップＳ１０４）。このとき、入力部２２は、ユーザの指示に基づき、操作信号（起動操作）をマイクロコントローラ２８に伝える。オーディオ再生装置１０が起動されると、提示部５６は、メモリ５２に記憶された再生情報をディスプレイ２４に表示する（ステップＳ１０５）。これにより、終了時に再生中であったオーディオデータに関する情報が表示される。
【００３０】
図６は、ディスプレイ２４に表示される再生情報の表示例を示す図である。例えば、オーディオ再生装置２０が終了されたとき、再生中であった楽曲が記憶されていたメディアデバイス３０に対応するデバイス名８０と、アルバム名８２と、アーティスト名８４と、楽曲名８６と、再生時間８８がディスプレイ２４に表示される。これ以外にも、トラックナンバー等の他の再生情報を表示してもよい。再生情報がディスプレイ２４に表示されると、抽出部５０は、現在接続されているメディアデバイス３０の識別情報を抽出する（ステップＳ１０６）。
【００３１】
次に、判定部５４は、メモリ５２に記憶された識別情報と、抽出部５０により抽出された識別情報とを比較し（ステップＳ１０７）、当該比較結果に基づき、メディアデバイス３０が未接続であるか否かを判定する（ステップＳ１０８）。未接続であると判定されたとき、提示部５６は、判定部５４から受け取った判定結果に基づき、メディアデバイス３０が未接続であると警告を表示する（ステップＳ１０９）。
【００３２】
図７は、提示部５６による警告の表示例である。図７（ａ）に示すように、警告メッセージ９０は、例えば、ディスプレイ２４のほぼ中央部、ステップＳ１０５で表示された再生情報の画面上に「メディアデバイスＢは未接続です」表示される。ここで、未接続のメディアデバイスが複数あった場合には、例えば、「メディアデバイスＡ、メディアデバイスＢは未接続です」と警告が表示される。図７（ｂ）に示す表示例では、オーディオ再生装置１０が終了された際に、再生中であったオーディオデータに関する再生情報が、コメント９２として警告メッセージ９０に付加されている。コメント９２は、メモリ５２に記憶された再生情報に基づき作成される。
【００３３】
以上の動作により、ユーザは、オーディオ再生装置１０の起動時に、抜き去られたメディアデバイス３０が未接続であることを認識することができる。
【００３４】
次に、第２の実施例に係るオーディオ再生装置１０について説明する。第２の実施例のオーディオ再生装置１０は、図８に示すように、起動時に未接続であるメディアデバイス３０ｂがあったとしても、終了された際に、メディアデバイス３０ｂではなく、メディアデバイス３０ａが使用されていた場合、ディスプレイ２４に警告を提示しない。
【００３５】
第２の実施例では、抽出部５２は、現在使用されているメディアデバイス３０を識別する使用情報を抽出することができ、オーディオ再生装置１０の終了時に、識別情報、再生情報および使用情報をメモリ５２に記憶する。
【００３６】
図９は、第２の実施例に係る判定部５４による判定方法を説明する図である。メモリ５２に記憶された識別情報は、オーディオ再生装置１０が終了された際に接続されていたメディアデバイス３０を示し、抽出された識別情報は、オーディオ再生装置１０が起動されたとき接続されているメディアデバイス３０を示している。また、ハッチングで示された識別情報は、メモリ５２に記憶された使用情報に対応する、終了時に使用されていたメディアデバイス３０ａを示している。
【００３７】
判定部５２は、オーディオ再生装置が起動されたとき、第１の実施例と同様に、メモリ５０に記憶された識別情報「デバイスＢ」が一致しないと判定する。ただし、使用情報に対応する識別情報「デバイスＡ」が、抽出部５０により抽出された識別情報に一致したとき、「デバイスＢ」が一致しないと判定されても、未接続であると判定しない。これにより、ユーザには、オーディオ再生装置１０の終了時に使用されていたメディアデバイス３０ａが未接続であった場合に限り、警告を提示することができる。
【００３８】
上記実施例では、オーディオ再生装置の終了時に使用されていたメディアデバイスが未接続であった場合、警告を提示したが、一定の条件下では、警告を提示しなくてもよい。例えば、メモリ５２は、オーディオ再生装置の終了時間を記憶しておき、一定期間が経過した後に起動された場合、提示部５６は警告を提示しない。これは、オーディオ再生装置が一定期間以上起動されなかった場合、警告が却って迷惑になることがあるためである。
【００３９】
上記実施例では、オーディオ再生装置について説明したが、本発明のコンテンツ再生装置は、ビジュアル再生装置やナビゲーション装置等の他のコンテンツ再生装置であってもよい。このとき、メディアデバイスは、ビデオデータや道路地図データ等を記憶する。
【００４０】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４１】
本発明は、複数のメディアデバイスを接続し、そのメディアデバイスに記憶されたコンテンツを再生するコンテンツ再生装置に利用される。
【図面の簡単な説明】
【００４２】
【図１】本発明の実施例に係るオーディオ再生装置の構成を示すブロック図である。
【図２】マイクロコントローラの機能的な構成を示すブロック図である。
【図３】判定部による判定方法を説明する図である。
【図４】本実施例に係るオーディオ再生装置における警告提示動作について説明する概念図である。
【図５】本実施例に係るオーディオ再生装置における警告提示動作を説明するフローチャートである。
【図６】提示部による再生情報の表示例を示す図である。
【図７】提示部による警告の表示例である。
【図８】第２の実施例に係るオーディオ再生装置における警告提示動作について説明する概念図である。
【図９】第２の実施例に係る判定方法を説明する図である。
【符号の説明】
【００４３】
１０：オーディオ再生装置              １２：コネクタ
１４：インターフェース                １６：ＤＡＣ
１８：アンプ                          ２０：スピーカ
２２：入力部                          ２４：ディスプレイ
２６：メモリ                          ２８：マイクロコントローラ
３０：メディアデバイス                ５０：抽出部
５２：メモリ                          ５４：判定部
５６：提示部                          ９０：警告メッセージ
【図１】
2009042583.tif 000003
【図２】
2009042583.tif 000004
【図３】
2009042583.tif 000005
【図４】
2009042583.tif 000006
【図５】
2009042583.tif 000007
【図６】
2009042583.tif 000008
【図７】
2009042583.tif 000009
【図８】
2009042583.tif 000010
【図９】
2009042583.tif 000011